【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
パネルと、
前記パネルを受入れるように構成された押出し成形部分とを具備し、
前記パネルを、屋根の勾配に従ってトリミング自在とした屋根用囲い枠組。
【請求項２】
前記押出し成形部分は、アルミニウムから構成される請求項１記載の屋根用囲い枠組。
【請求項３】
前記押出し成形部分は、屋根に沿って間断なく接触するように構成される請求項１記載の屋根用囲い枠組。
【請求項４】
前記押出し成形部分は、屋根のリブに沿って間断なく接触するように構成される請求項３記載の屋根用囲い枠組。
【請求項５】
第２の押出し成形部分と、
前記押出し成形部分と前記第２の押出し成形部分とを互いに結合する結合ブロックとを更に具備する請求項１記載の屋根用囲い枠組。
【請求項６】
前記押出し成形部分を支持するために建造物に装着されるように構成される溝形材を更に具備する請求項１記載の屋根用囲い枠組。
【請求項７】
前記押出し成形部分と結合自在である第２の押出し成形部分と、
前記第２の押出し成形部分を支持するために前記溝形材に装着されるように構成された第２の溝形材とを更に具備する請求項６記載の屋根用囲い枠組。
【請求項８】
前記押出し成形部分に装着されるように構成されたそらせアングル材を更に具備する請求項１記載の屋根用囲い枠組。
【請求項９】
前記押出し成形部分を支持するために建造物に装着されるように構成された溝形材と、
前記そらせアングル材を支持するために前記溝形材に装着されるように構成されたそらせ板とを更に具備する請求項８記載の屋根用囲い枠組。
【請求項１０】
屋根用囲い枠組を製造する方法であって、
押出し成形部分を含む屋根用囲い枠組キットを提供することと、
囲い枠組サイズを判定することと、
前記判定に従って、前記押出し成形部分を切断することとを有する方法。
【請求項１１】
前記押出し成形部分は、屋根のリブに対応するように構成され、
前記方法は、前記屋根のリブに沿って間断なく接触するように、屋根のリブに対する前記押出し成形部分の向きを確認することを更に含み、
前記切断することは、前記確認することに対応する請求項１０記載の方法。
【請求項１２】
前記切断することにより、所定サイズの押出し成形部分が形成され、
前記屋根用囲い枠組キットは、結合ブロックを含み、
前記方法は、
前記判定に従って、第２の押出し成形部分を切断し、第２の所定サイズの押出し成形部分を規定することと、
前記所定サイズの押出し成形部分及び前記第２の所定サイズの押出し成形部分を前記結合ブロックによって互いに結合することとを更に含む請求項１０記載の方法。
【請求項１３】
前記互いに結合する工程に先立って、前記結合ブロックの領域に対応して、前記所定サイズの押出し成形部分及び前記第２の所定サイズの押出し成形部分のうち少なくとも一方に複数の穴をあけることを更に含む請求項１２記載の方法。
【請求項１４】
前記互いに結合する工程に先立って、前記結合ブロック及び前記所定サイズの押出し成形部分又は前記第２の所定サイズの押出し成形部分のうち一方又は双方にシーリング材を塗布することを更に含む請求項１２記載の方法。
【請求項１５】
前記キットは、パネルを含み、前記パネルを前記押出し成形部分に装着することを更に含む請求項１０記載の方法。
【請求項１６】
屋根の勾配に従って、前記パネルをトリミングすることを更に含む請求項１５記載の方法。
【請求項１７】
屋根用囲い枠組を設置する方法であって、
屋根用囲い枠組基礎を屋根に取付けることと、
屋根の勾配に従ってパネルをトリミングすることと、
前記パネルを前記屋根用囲い枠組に装着することとを有する方法。
【請求項１８】
前記取付ける工程に先立って、前記屋根用囲い枠組基礎及びそらせ板に従って前記屋根を切断することを更に含む請求項１７記載の方法。
【請求項１９】
前記切断する工程と前記取付ける工程との間で、前記そらせ板を設置することを更に含む請求項１８記載の方法。
【請求項２０】
前記屋根用囲い枠組基礎及び前記そらせ板にそらせアングル材を装着することを更に含む請求項１９記載の方法。
【請求項２１】
傾斜する屋根に器具を支持する組み立て式屋根用囲い枠組みであって、
前記屋根に配置可能な矩形のフレームを形成するように接続された複数の金属製壁部と、
前記囲い枠組みの高さを拡張する複数の拡張ボードとを備え、
前記壁部の各々は、それぞれの拡張ボードの下縁部を受け入れるように構成された最上部の溝部を有し、
前記拡張ボードは、当該ボードに器具を支持する上縁部を有し、
対向する１対の拡張ボードは、前記上縁部が前記器具を支持するための水平面を形成するように、屋根の傾斜を補正するようテーパ状に切断されていることを特徴とする組み立て式屋根用囲い枠組み。
【請求項２２】
前記金属製壁部の各々は、金属の押出し成形体であることを特徴とする請求項２１に記載の組み立て式屋根用囲い枠組み。
【請求項２３】
前記金属製壁部の１つは、その下縁部に回避部を有し、当該回避部は、前記１つの金属製壁部が屋根の継ぎ目と交差して配置可能なように、標準規格のサイズ及び形状の屋根の継ぎ目に対する形状合わせ部を有することを特徴とする請求項２１に記載の組み立て式屋根用囲い枠組み。
【請求項２４】
前記フレームを形成するように、前記金属製壁部の隣接する端部を互いに結合するために、各々にファスナが打ち込み可能な４つの結合ブロックを更に備えることを特徴とする請求項２１に記載の組み立て式屋根用囲い枠組み。
【請求項２５】
複数の支持溝形材を更に有し、前記支持溝形材の各々は、前記壁部の各々の下部であって、少なくとも１つの屋根板の真下の屋根の構造材に配置されることを特徴とする請求項２１に記載の組み立て式屋根用囲い枠組み。
【請求項２６】
前記最上部の溝部とそれぞれの拡張ボードとの間に配置されるウェザー・シールを更に備えることを特徴とする請求項２１に記載の組み立て式屋根用囲い枠組み。
【請求項２７】
前記溝部に前記ボードを保持するように、前記溝部の各々の側部を通って、前記溝部に収容されたそれぞれの拡張ボードに入り込む複数のねじ付きファスナを更に備えることを特徴とする請求項２１に記載の組み立て式屋根用囲い枠組み。
【請求項２８】
前記拡張ボードの各々は、腐食や割れを低減し排除するように設計された再生された木材とプラスチックの組み合わせから構成されることを特徴とする請求項２１に記載の組み立て式屋根用囲い枠組み。
【請求項２９】
屋根に器具を支持する方法であって、
複数の金属製壁部を用意することと、
前記屋根に配置可能な矩形のフレームを形成するように前記壁部を結合可能に製作することと、
複数の拡張ボードを受け入れるように、少なくとも前記フレームの上縁部の部分を画定することと、
互いに結合可能で、かつ前記フレームの前記上縁部によって全体が受け入れ可能に前記拡張ボードを調整することと、を有し、当該拡張ボードは前記器具の支持面を規定するように前記フレームの全高を拡張するために使用されるものであり、
対向する１対の前記拡張ボードを、前記支持面が水平になるように、屋根の傾斜を補正するようテーパにすることを特徴とする方法。
【請求項３０】
前記製作する工程及び前記調整する工程が実行された後に、前記壁部と前記拡張ボードとを、設置場所に運ぶことを更に備えることを特徴とする請求項２９に記載の方法。
【請求項３１】
設置場所において前記製作する工程及び前記調整する工程を行うことを特徴とする請求項２９に記載の方法。
【請求項３２】
器具を支持するシステムであって、
屋根に固定可能に調整される矩形のフレームと、
複数の拡張ボードであって、当該拡張ボードの各々が端部を有し、上方に向けて前記フレームの拡張部を形成するよう当該端部において互いに接続可能であり、前記拡張ボードが接続されると、前記器具の支持面を規定するものであり、
側方に対向する１対の前記拡張ボードであって、前記拡張ボードは、前記システムが設置されたときに前記支持面が実質的に水平になるように前記屋根のピッチ角を補正するように同方向にテーパ状にされていることを特徴とするシステム。
【請求項３３】
前記フレームは金属製壁部から構成されており、前記壁部の端部が前記矩形のフレームを形成するように結合可能であることを特徴とする請求項３２に記載のシステム。
【請求項３４】
前記金属製壁部の少なくとも１つは、その下縁部に回避部を有し、当該回避部は、前記１つの金属製壁部が屋根の継ぎ目と交差して配置可能なように、標準規格のサイズ及び形状の屋根の継ぎ目に対する形状合わせ部を有することを特徴とする請求項３３に記載のシステム。
【請求項３５】
前記フレームを形成するように、複数の金属製壁部の隣接する端部ごとに互いに結合するために、各々にファスナが打ち込み可能な４つの結合ブロックを更に備えることを特徴とする請求項３２に記載のシステム。
【請求項３６】
複数の支持溝形材を更に有し、当該支持溝形材の各々は、前記壁部の各々の下部であって、少なくとも１つの屋根板の真下の屋根の構造材に配置されることを特徴とする請求項３５に記載のシステム。
【請求項３７】
前記金属製壁部の各々は、前記拡張ボードが前記フレーム上に固定可能なように、対応する拡張ボードの下縁部を受け入れるように調整された最上部の溝部を有することを特徴とする請求項３３に記載のシステム。
【請求項３８】
前記金属製壁部と前記拡張ボードとの間の前記溝部に配置されるウェザー・シールを更に備えることを特徴とする請求項３７に記載のシステム。
【請求項３９】
前記溝部に前記それぞれのボードを保持するように、前記溝部の各々の側部を通って、前記溝部に収容されたそれぞれの拡張ボードに入り込む複数のねじ付きファスナを更に備えることを特徴とする請求項３７に記載のシステム。
【請求項４０】
前記拡張ボードの各々は、前記拡張ボードに耐候性を持たせるために１つ以上の再生された木材とプラスチックから構成されることを特徴とする請求項３２に記載のシステム。
【手続補正２】
【補正対象書類名】明細書
【補正対象項目名】０００３
【補正方法】変更
【補正の内容】
【０００３】
従来、屋根用囲い枠組は、特定の屋根の形状及び勾配を考慮して、特定の屋根上設置用器具を取付けるための相対的に水平な装着構造を形成するように、特別に設計され且つ注文生産されていた。そのような従来の屋根用囲い枠組は、多くの場合、特定の屋根の勾配に独自に対応するように、１枚の金属片から製造される。そのため、従来の屋根用囲い枠組の設計及び建造は、屋根用囲い枠組の製造業者及び屋根上設置用器具の設置業者にとって、長い時間を要する骨の折れる作業であった。更に、従来の屋根用囲い枠組は、金属屋根システムに設置されるため、実際の開口部は、屋根の波形起伏、継ぎ目又はリブに関して様々に異なり、設置の直前になって初めてそれらの形状を確認できる。そのように、従来行われていたタイミングの悪い設計・建造の方法が、器具の設置を遅らせてしまう。
【手続補正３】
【補正対象書類名】明細書
【補正対象項目名】００１０
【補正方法】削除
【補正の内容】
【手続補正４】
【補正対象書類名】明細書
【補正対象項目名】００５７
【補正方法】変更
【補正の内容】
【００５７】
本発明は、本明細書中で説明された特定の実施形態に限定されず、本実施形態は添付の請求の範囲で特定された本発明の一例に過ぎないものと理解すべきである。